(57)【特許請求の範囲】
【請求項１】
拡張アップリンク（ＥＵ）トランスポート・フォーマット・コンビネーション（Ｅ−ＴＦＣ）を選択する方法であって、
Ｋe,refから算出される次に生じる伝送のためのスケジュール対象データのビットの最大数を決定するステップであって、最高の値は
【数１】
0005363597.tif 000028
以下であり、ここで、ＳＧは、サービング許可であり、Ｌe,refは、選択された基準Ｅ−ＴＦＣ用に使用されるＥＵ個別物理データチャネル（Ｅ−ＤＰＤＣＨ）の個数であり、Ｋe,refは、前記基準Ｅ−ＴＦＣのデータビット数であり、Δharqは、上位層によってシグナリングされたとおり伝送されるべき特定のデータフロー用のハイブリッド自動再送要求（ＨＡＲＱ）オフセットであり、Ａed,refは、前記選択された基準Ｅ−ＴＦＣに関する上位層によってシグナリングされるパラメータΔＥ−ＤＰＤＣＨから導出される比であるステップ
を含むことを特徴とする方法。
【請求項２】
次に生じる伝送のための電力オフセット（ＰＯ）は、最優先順位のデータの伝送を可能にするメディアアクセス制御（ＭＡＣ−ｄ）フローのＨＡＲＱプロファイルからのＰＯであることを特徴とする請求項１に記載の方法。
【請求項３】
１つを超えるＭＡＣ−ｄフローにより、同じ最優先順位のデータが伝送可能になるとの条件において、前記ＭＡＣ−ｄフローの選択が無作為に行われることを特徴とする請求項２に記載の方法。
【請求項４】
ＳＧ＝ＭＩＮ（ＳＧＰ，ＴＢｓｉｚｅ）であり、ＳＧＰは、次に生じる伝送のためのスケジュール対象データのビットの最大数であり、ＴＢｓｉｚｅは、最大のサポートされるペイロードを提供するトランスポートブロックサイズであることを特徴とする請求項１に記載の方法。
【請求項５】
Ｅ−ＴＦＣ制限を行うステップと、
次の伝送タイミング間隔(ＴＴＩ）中に送ることができる最大のサポートされるペイロードを決定するステップと
をさらに含むことを特徴とする請求項１に記載の方法。
【請求項６】
拡張アップリンク（ＥＵ）トランスポート・フォーマット・コンビネーション（Ｅ−ＴＦＣ）を選択するように構成される無線送受信ユニット（ＷＴＲＵ）であって、
Ｋe,refから算出される次に生じる伝送のためのスケジュール対象データのビットの最大数を決定するように構成され、最高の値は
【数２】
0005363597.tif 000029
以下であり、ここで、ＳＧは、サービング許可であり、Ｌe,refは、選択された基準Ｅ−ＴＦＣ用に使用されるＥＵ個別物理データチャネル（Ｅ−ＤＰＤＣＨ）の個数であり、Ｋe,refは、前記基準Ｅ−ＴＦＣのデータビット数であり、Δharqは、上位層によってシグナリングされたとおり伝送されるべき特定のデータフロー用のハイブリッド自動再送要求（ＨＡＲＱ）オフセットであり、Ａed,refは、前記選択された基準Ｅ−ＴＦＣに関する上位層によってシグナリングされるパラメータΔＥ−ＤＰＤＣＨから導出される比であることを特徴とするＷＴＲＵ。
【請求項７】
次に生じる伝送のための電力オフセット（ＰＯ）を、最優先順位のデータの伝送を可能にするメディアアクセス制御（ＭＡＣ−ｄ）フローのＨＡＲＱプロファイルからのＰＯとして選択するようにさらに構成されることを特徴とする請求項６に記載のＷＴＲＵ。
【請求項８】
１つを超えるＭＡＣ−ｄフローにより、同じ最優先順位のデータが伝送可能になるとの条件において、前記ＭＡＣ−ｄフローを無作為に選択するようにさらに構成されることを特徴とする請求項７に記載のＷＴＲＵ。
【請求項９】
ＳＧ＝ＭＩＮ（ＳＧＰ，ＴＢｓｉｚｅ）であり、ＳＧＰは、次に生じる伝送のためのスケジュール対象データのビットの最大数であり、ＴＢｓｉｚｅは、最大のサポートされるペイロードを提供するトランスポートブロックサイズであることを特徴とする請求項６に記載のＷＴＲＵ。
【請求項１０】
前記ＷＴＲＵは、
Ｅ−ＴＦＣ制限を行い、
次の伝送タイミング間隔(ＴＴＩ）中に送ることができる最大のサポートされるペイロードを決定する、ようにさらに構成されることを特徴とする請求項６に記載のＷＴＲＵ。
【請求項１１】
拡張アップリンク（ＥＵ）トランスポート・フォーマット・コンビネーション（Ｅ−ＴＦＣ）を選択する方法であって、
次に生じる伝送のためのスケジュール対象データのビットの最大数を決定するステップであって、最高の値は、
選択された基準Ｅ−ＴＦＣ用に使用されるＥＵ個別物理データチャネル（Ｅ−ＤＰＤＣＨ）の個数、上位層によってシグナリングされたとおり伝送されるべき特定のデータフロー用のハイブリッド自動再送要求（ＨＡＲＱ）オフセット、及び前記選択された基準Ｅ−ＴＦＣに関する上位層によってシグナリングされるパラメータΔＥ−ＤＰＤＣＨから導出される比、に対するサービング許可（ＳＧ）の比と、
前記基準Ｅ−ＴＦＣのデータビット数と、
の積以下であるステップ
を含むことを特徴とする方法。
【請求項１２】
次に生じる伝送のための電力オフセット（ＰＯ）は、最優先順位のデータの伝送を可能にするメディアアクセス制御（ＭＡＣ−ｄ）フローのＨＡＲＱプロファイルからのＰＯであることを特徴とする請求項１１に記載の方法。
【請求項１３】
１つを超えるＭＡＣ−ｄフローにより、同じ最優先順位のデータが伝送可能になるとの条件において、前記ＭＡＣ−ｄフローの選択が無作為に行われることを特徴とする請求項１２に記載の方法。
【請求項１４】
ＳＧ＝ＭＩＮ（ＳＧＰ，ＴＢｓｉｚｅ）であり、ＳＧＰは、次に生じる伝送のためのスケジュール対象データのビットの最大数であり、ＴＢｓｉｚｅは、最大のサポートされるペイロードを提供するトランスポートブロックサイズであることを特徴とする請求項１１に記載の方法。
【請求項１５】
Ｅ−ＴＦＣ制限を行うステップと、
次の伝送タイミング間隔(ＴＴＩ）中に送ることができる最大のサポートされるペイロードを決定するステップと
をさらに含むことを特徴とする請求項１１に記載の方法。
【請求項１６】
拡張アップリンク（ＥＵ）トランスポート・フォーマット・コンビネーション（Ｅ−ＴＦＣ）を選択するように構成された無線送受信ユニット（ＷＴＲＵ）であって、
次に生じる伝送のためのスケジュール対象データのビットの最大数を決定するように構成され、最高の値は、
選択された基準Ｅ−ＴＦＣ用に使用されるＥＵ個別物理データチャネル（Ｅ−ＤＰＤＣＨ）の個数、上位層によってシグナリングされたとおり伝送されるべき特定のデータフロー用のハイブリッド自動再送要求（ＨＡＲＱ）オフセット、及び前記選択された基準Ｅ−ＴＦＣに関する上位層によってシグナリングされるパラメータΔＥ−ＤＰＤＣＨから導出される比、に対するサービング許可（ＳＧ）の比と、
前記基準Ｅ−ＴＦＣのデータビット数と、
の積以下であることを特徴とするＷＴＲＵ。
【請求項１７】
次に生じる伝送のための電力オフセット（ＰＯ）を、最優先順位のデータの伝送を可能にするメディアアクセス制御（ＭＡＣ−ｄ）フローのＨＡＲＱプロファイルからのＰＯとして選択するようにさらに構成されることを特徴とする請求項１６に記載のＷＴＲＵ。
【請求項１８】
１つを超えるＭＡＣ−ｄフローにより、同じ最優先順位のデータが伝送可能になるとの条件において、前記ＭＡＣ−ｄフローを無作為に選択するようにさらに構成されることを特徴とする請求項１７に記載のＷＴＲＵ。
【請求項１９】
ＳＧ＝ＭＩＮ（ＳＧＰ，ＴＢｓｉｚｅ）であり、ＳＧＰは、次に生じる伝送のためのスケジュール対象データのビットの最大数であり、ＴＢｓｉｚｅは、最大のサポートされるペイロードを提供するトランスポートブロックサイズであることを特徴とする請求項１６に記載のＷＴＲＵ。
【請求項２０】
前記ＷＴＲＵは、
Ｅ−ＴＦＣ制限を行い、
次の伝送タイミング間隔(ＴＴＩ）中に送ることができる最大のサポートされるペイロードを決定するようにさらに構成されることを特徴とする請求項１６に記載のＷＴＲＵ。
【発明の詳細な説明】
【技術分野】
【０００１】
本発明は、無線通信システムに関する。より詳細には、本発明は、サービング許可（ＳＧ：serving grant）についてスケジューリング許可ペイロード（ＳＧＰ：scheduling grant payload）を決定し、拡張アップリンク（ＥＵ：enhanced uplink）トランスポート・フォーマット・コンビネーション（transport format combination）（Ｅ−ＴＦＣ）を選択する方法に関する。
【背景技術】
【０００２】
図１に示したシステム１００などの第３世代（３Ｇ）携帯電話システムでは、ＥＵにより、アップリンク（ＵＬ）データスループットおよび伝送待ち時間が改善されている。このシステム１００は、ノードＢ１０２、無線ネットワーク制御装置（ＲＮＣ）１０４および無線送受信ユニット（ＷＴＲＵ）１０６を含む。
【０００３】
図２に示すように、ＷＴＲＵ１０６は、上位層２０２と、個別チャネルメディアアクセス制御（ＭＡＣ）（ＭＡＣ−ｄ）２０４と物理層（ＰＨＹ）２０８との間のＥＵ動作をサポートするのに使用されるＥＵメディアアクセス制御（ＭＡＣ）（ＭＡＣ−ｅ）２０６と、を含んだプロトコルアーキテクチャ２００を含む。ＭＡＣ−ｅ２０６は、ＭＡＣ−ｄフローとして知られるチャネルからＥＵ伝送用のデータを受信する。ＭＡＣ−ｅ２０６は、ＭＡＣ−ｄフローからのデータを、伝送用のＭＡＣ−ｅプロトコル・データ・ユニット（ＰＤＵ）に多重化し、ＥＵ伝送用の適切なＥＵトランスポート・フォーマット・コンビネーション（Ｅ−ＴＦＣ）を選択する役目を担っている。
【０００４】
ＥＵ伝送を可能にするために、物理リソース許可が、ノードＢ１０２およびＲＮＣ１０４によってＷＴＲＵ１０６に割り付けられる。高速動的チャネル割当てを必要とするＷＴＲＵ  ＵＬデータチャネルには、ノードＢ１０２によって提供される高速な「スケジュール対象（ｓｃｈｅｄｕｌｅｄ）」許可が供与され、連続的割当てを必要とするチャネルには、ＲＮＣ１０４により「非スケジュール対象（ｎｏｎ−ｓｃｈｅｄｕｌｅｄ）」許可が供与される。ＭＡＣ−ｄフローは、ＭＡＣ−ｅ２０６にＵＬ伝送用のデータを供与する。ＭＡＣ−ｄフローは、スケジュール対象または非スケジュール対象のＭＡＣ−ｄフローとして構成される。
【０００５】
ＳＧは、スケジュール対象のデータに対する許可（すなわち、「スケジュール対象許可（ｓｃｈｅｄｕｌｅｄ  ｇｒａｎｔ）」）である。「非スケジュール対象許可（ｎｏｎ−ｓｃｈｅｄｕｌｅｄ  ｇｒａｎｔ）」は、非スケジュール対象のデータに対する許可である。ＳＧは電力比であり、この電力比は、多重化可能であるスケジュール対象のデータの対応する量に変換され、結果としてスケジュール対象のデータ許可が生成される。
【０００６】
ＲＮＣ１０４は、無線リソース制御（ＲＲＣ）手続きを用いて、各ＭＡＣ−ｄフローに対する非スケジュール対象許可を構成する。複数の非スケジュール対象のＭＡＣ−ｄフローを、同時にＷＴＲＵ１０６内で構成することができる。このように構成することは通常、無線アクセスベアラ（ＲＡＢ）確立時に行われるが、必要な際には再構成されても良い。各ＭＡＣ−ｄフローに対する非スケジュール対象許可は、ＭＡＣ−ｅ  ＰＤＵに多重化可能なビット数を指定する。次いでＷＴＲＵ１０６は、同じ伝送時間間隔（ＴＴＩ）内で多重化される場合には、最大で、非スケジュール対象許可の合計まで、非スケジュール対象の伝送を行うことを可能にされる。
【０００７】
ノードＢ２０２は、ＷＴＲＵ１０６からのレート要求において送られたスケジューリング情報に基づいて、スケジュール対象のＭＡＣ−ｄフローに対するスケジューリング許可を動的に生成する。ＷＴＲＵ１０６とノードＢ１０２との間のシグナリングは、高速ＭＡＣ層シグナリングによって行われる。ノードＢ１０２によって生成されたスケジューリング許可は、最大許可されるＥＵ個別物理データチャネル（Ｅ−ＤＰＤＣＨ）／個別物理制御チャネル（ＤＰＣＣＨ）の電力比を指定する。ＷＴＲＵ１０６は、この電力比および他の設定されたパラメータを使用して、スケジュール対象の全ＭＡＣ−ｄフローからＭＡＣ−ｅ  ＰＤＵへと多重化可能なビットの最大数を決定する。
【０００８】
スケジュール対象許可は、非スケジュール対象許可よりも「上位」にあり、非スケジュール対象許可とは相容れない。スケジュール対象のＭＡＣ−ｄフローは、非スケジュール対象許可を使用してデータを伝送することができず、非スケジュール対象のＭＡＣ−ｄフローは、スケジュール対象許可を使用してデータを伝送することができない。
【０００９】
あらゆる可能なＥ−ＴＦＣを含むＥＵトランスポート・フォーマット・コンビネーションセット（Ｅ−ＴＦＣＳ）は、ＷＴＲＵ１０６に知られている。それぞれのＥＵ伝送に対して、Ｅ−ＴＦＣが、Ｅ−ＴＦＣＳ中のサポートされるＥ−ＴＦＣセットから選択される。
【００１０】
他のＵＬチャネルは、ＥＵ伝送よりも優先されるので、Ｅ−ＤＰＤＣＨ上でＥＵデータ伝送用に使用可能な電力は、ＤＰＣＣＨと、個別物理データチャネル（ＤＰＤＣＨ）と、高速個別物理制御チャネル（ＨＳ−ＤＰＣＣＨ）と、ＥＵ個別物理制御チャネル（Ｅ−ＤＰＣＣＨ）とに必要な電力を検討した後に残存電力となる。ＥＵ伝送用の残存伝送電力に基づいて、Ｅ−ＴＦＣＳ中のＥ−ＴＦＣのブロック（ｂｌｏｃｋｅｄ）状態またはサポート状態が、ＷＴＲＵ１０６によって連続的に決定される。
【００１１】
それぞれのＥ−ＴＦＣは、ＥＵ  ＴＴＩ中に伝送可能ないくつかのＭＡＣ層データビットに対応する。それぞれのＥＵ  ＴＴＩ中に伝送される１つのＥ−ＴＦＣ当たり１つのＭＡＣ−ｅ  ＰＤＵしかないので、残存電力によって送信許可された最大のＥ−ＴＦＣが、ＭＡＣ−ｅ  ＰＤＵ内で伝送可能なデータ量（つまりビット数）の最大値を規定する。
【００１２】
複数のスケジュール対象および／または非スケジュール対象のＭＡＣ−ｄフローを、絶対優先順位に基づいて、各ＭＡＣ−ｅ  ＰＤＵ内に多重化することができる。各ＭＡＣ−ｄフローから多重化されるデータ量は、現在のスケジュール対象許可または非スケジュール対象許可、最大にサポートされるＴＦＣからの使用可能なＭＡＣ−ｅ  ＰＤＵペイロード、およびＭＡＣ−ｄフロー上での伝送に使用可能なデータのうちの最小値である。
【００１３】
サポートされるＥ−ＴＦＣ内で、ＷＴＲＵ１０６は、スケジュール対象許可および非スケジュール対象許可に従って、データ伝送を最大化させる最小のＥ−ＴＦＣを選択する。スケジュール対象許可および非スケジュール対象許可が完全に使用し尽くされるか、使用可能なＭＡＣ−ｅ  ＰＤＵペイロードが完全に使用し尽くされるか、あるいはＷＴＲＵ１０６には、伝送可能とされる使用可能なデータがもはやなくなったときに、ＭＡＣ−ｅ  ＰＤＵが、次の最大Ｅ−ＴＦＣサイズと合致するようにパディングされる。この多重化されたＭＡＣ−ｅ  ＰＤＵおよび対応するＴＦＣは、伝送するために物理層に渡される。
【００１４】
ＳＧおよび非ＳＧ（ｎｏｎ−ＳＧ：non-scheduled grant）は、ＥＵ  ＴＴＩごとに特定のＭＡＣ−ｄフローからＭＡＣ−ｅ  ＰＤＵに多重化可能なデータの最大量を指定する。スケジュール対象許可はＥ−ＤＰＤＣＨ／ＤＰＣＣＨ比に基づくので、ＭＡＣ−ｅ  ＰＤＵごとに多重化可能とするデータビット数を明示的に制御することはできず、Ｅ−ＴＦＣＳ中のサポートされるＥ−ＴＦＣの、限られた数のデータサイズと合致するいくつかのサイズを可能にするだけである。
【００１５】
ＥＵデータ伝送用の残存伝送電力により、Ｅ−ＴＦＣＳ中においてサポートされるＥ−ＴＦＣのリストが決定される。このサポートされるＥ−ＴＦＣは、ＴＦＣＳ中の限られた数のＥ−ＴＦＣから決定されるので、可能とされるＭＡＣ−ｅ  ＰＤＵサイズの粒度により、ＭＡＣ−ｄフローとＭＡＣ−ｅヘッダとのあらゆる可能な組合せが可能とはならない。したがって、ＭＡＣ−ｅ  ＰＤＵに多重化されるべき許可によって可能となるＭＡＣ−ｄフローデータの量は、サポートされるＥ−ＴＦＣのうちの１つのサイズと合致しないことが頻繁にあるので、パディングは、サポートされるＥ−ＴＦＣのリスト中の可能な限り最小のＥ−ＴＦＣサイズと合致するように、ＭＡＣ−ｅ  ＰＤＵに適用される。
【００１６】
ＥＵセルが最高能力で動作しているとき、ＭＡＣ−ｅ  ＰＤＵ多重化は、ＳＧおよび非ＳＧによって制限されることが頻繁にあり、最大にサポートされるＥ−ＴＦＣ、または伝送に使用可能なＷＴＲＵ  ＥＵデータによっては制限されないことが予想される。この場合、Ｅ−ＴＦＣＳ内の指定されたＥ−ＴＦＣの粒度によっては、選択されたＥ−ＴＦＣと合致するのに必要とされるパディングが、関連するＭＡＣ−ｅヘッダ情報を含むＭＡＣ−ｄフローデータの多重化ブロックサイズを超えることがある。この場合、効果的なデータ速度が、選択されたＥ−ＴＦＣおよびこのＥ−ＴＦＣの伝送に必要な物理的リソースによって可能とされるデータ速度よりも不必要に低減される。
【００１７】
図３は、ＭＡＣ−ｅ  ＰＤＵ３００を示す。スケジュールリング許可および非スケジューリング許可（non-scheduling grant）によって可能とされるＭＡＣ−ｅ  ＰＤＵヘッダ３０２およびＭＡＣ−ｄフローデータ３０4が、多重化される。サポートされるＥ−ＴＦＣのセットの中から、ＷＴＲＵ１０６は、サポートされるＥ−ＴＦＣのリストから、ＭＡＣ−ｅ  ＰＤＵヘッダ３０２およびＭＡＣ−ｄフローデータ３０４よりも大きい、最小のＥ−ＴＦＣを選択する。次いで、この選択したＥ−ＴＦＣのサイズと合致するように、パディング３０６をＭＡＣ−ｅ  ＰＤＵに適用する。しかしながら、このパディング３０６は、ＭＡＣ−ｄフローデータの多重化ブロックサイズを超えることがある。この場合、ＥＵ伝送に用いられる物理的リソースが使用され、効果的なＷＴＲＵデータ速度が不必要に低減される。
【００１８】
ＭＡＣ−ｅ  ＰＤＵ多重化論理は、ＭＡＣ−ｅ  ＰＤＵ多重化が、スケジュール対象許可および／または非スケジュール対象許可によって制限され、最大にサポートされるＥ−ＴＦＣまたは伝送に使用可能なＥＵデータによっては制限されない場合に関して、より効果的なデータ多重化および改善された無線リソース使用を提供する。スケジュール対象許可および非スケジュール対象許可に従ってＭＡＣ−ｄフローからＭＡＣ−ｅ  ＰＤＵに多重化可能となるデータ量は、スケジュール対象許可および非スケジュール対象許可によって多重化可能となるデータ量と比較して、次により小さいまたは次により大きいＥ−ＴＦＣサイズとより精確に合致するように増大または減少される。
【００１９】
図４は、ＭＡＣ−ｅ  ＰＤＵを生成する処理４００の流れ図である。ステップ４０５で、ＷＴＲＵは、ノードＢからスケジュール対象のデータ許可を、かつ／またはＲＮＣから非スケジュール対象許可を受信する。ステップ４１０で、このスケジュール対象許可および非スケジュール対象許可に従って多重化可能とされるデータ量に基づいて、Ｅ−ＴＦＣトランスポート・ブロック・サイズを選択する。ステップ４１５で、各ＭＡＣ−ｅ  ＰＤＵに多重化されるデータ量が、この選択されたＥ−ＴＦＣトランスポート・ブロック・サイズとより精確に合致するように、スケジュール対象許可および非スケジュール対象許可に従って伝送可能とされるスケジュール対象および／または非スケジュール対象のデータの最大量を量子化する。
【００２０】
図５は、ＭＡＣ−ｅ  ＰＤＵを生成する処理５００の流れ図である。ステップ５０５で、ＷＴＲＵは、ノードＢからスケジュール対象のデータ許可を、かつ／またはＲＮＣから非スケジュール対象許可を受信する。ステップ５１０で、このスケジュール対象許可および非スケジュール対象許可に従って多重化可能とされるデータ量に基づいて、Ｅ−ＴＦＣトランスポート・ブロック・サイズを選択する。ステップ５１５で、各ＥＵ  ＭＡＣ−ｅ  ＰＤＵに多重化される（ＭＡＣヘッダおよび制御情報を含む）スケジュール対象のデータと非スケジュール対象のデータの合計が、この選択されたＥ−ＴＦＣトランスポート・ブロック・サイズとより精確に合致するように、少なくとも１つの許可によって多重化可能とされる、バッファリングされるＷＴＲＵデータの量を量子化する。
【００２１】
代替としては、Ｅ−ＴＦＣサイズの粒度を、Ｅ−ＴＦＣサイズ同士の差が、１つのＭＡＣ−ｄ  ＰＤＵおよび関連するＭＡＣ−ｅヘッダオーバーヘッドよりも大きくならないように、Ｅ−ＴＦＣＳ中で定義する。Ｅ−ＴＦＣは、各々で可能なＭＡＣ−ｄフロー多重化組合せおよび関連するＭＡＣ−ｅヘッダオーバーヘッドに対して定義される。このようにＥ−ＴＦＣＳを最適化することにより、スケジュール対象許可および非スケジュール対象許可に従ってＭＡＣ−ｄフローデータを多重化した後に必要となるパディングが、可能であるＭＡＣ−ｄフロー多重化ブロックサイズのサイズを超えなくなる。
【００２２】
図６は、ＭＡＣ−ｅ  ＰＤＵを生成する処理６００の流れ図である。サポートされたＥ−ＴＦＣのセットから、ＭＡＣ−ｄフローデータおよび現在の許可６０２によって可能とされたＭＡＣ−ｅ制御シグナリングのサイズよりも小さい、最大のＥ−ＴＦＣを選択する。結果として、この選択されたＥ−ＴＦＣにより、許可によって可能とされる量と比較して、ＭＡＣ−ｅ  ＰＤＵへと多重化させるべきデータ量を減少させて、スケジュール対象許可および非スケジュール対象許可が必要とする量よりも小さい、最大のＥ−ＴＦＣサイズとより精確に合致させることが可能になる。ＭＡＣ−ｄフローデータブロックが、選択されたＥ−ＴＦＣ６０４の範囲内でもはや追加され得なくなるまで、絶対優先順位に従って、（スケジュール対象および／または非スケジュール対象の）ＭＡＣ−ｄフローデータをＭＡＣ−ｅ  ＰＤＵに多重化する。選択したＥ−ＴＦＣのサイズ６０６と合致するように、ＭＡＣ−ｅ  ＰＤＵをパディングする。
【００２３】
図７は、高速アップリンク電力アクセス（ＨＳＵＰＡ）に関する従来のアップリンク拡散および利得係数（ｇａｉｎ  ｆａｃｔｏｒ）の使用を示す。各利得係数を使用してアップリンクチャネルを互いにスケーリングするように、Ｅ−ＤＰＣＣＨおよびＥ−ＤＰＤＣＨの電力をＤＰＣＣＨに対して設定する。図７に示されるように、Ｅ−ＤＰＣＣＨおよび各Ｅ−ＤＰＤＣＨに対して、個々に利得係数を適用する。βecはＥ−ＤＰＣＣＨの利得係数であり、βed,kは、１つ（または複数）のＥ−ＤＰＤＣＨの利得係数である。ＷＴＲＵは、これらの利得係数を上位層シグナリングから導出する。
【００２４】
Ｅ−ＤＰＣＣＨは、下記の式によって表される利得係数βecを使用してスケーリングされる。
βec＝βc・Ａec；      式（１）
式中、βcはＤＰＣＣＨの利得係数である。このβcは、上位層によってＷＴＲＵにシグナリングされるか、または計算される。比Ａecは、（たとえばコールセットアップ時に）上位層によってシグナリングされるパラメータΔＥ−ＤＰＣＣＨから導出される。表１は、ΔＥ−ＤＰＣＣＨに関するシグナリング値の意味を示す。ＷＴＲＵは、量子化された振幅比に従って、Ｅ−ＤＰＣＣＨをＤＰＣＣＨに関してスケーリングする。
【００２５】
【表１】
0005363597.tif 000002
【００２６】
圧縮フレームの間、Ｅ−ＤＰＣＣＨ利得係数βecをスケーリングする必要がある。これは、Ｅ−ＤＰＣＣＨ電力が、圧縮フレームの間、ＤＰＣＣＨに適用されたオフセットによって増大するのを回避するために行われる。ＴＦＣＩビットを有するアップリンクＤＰＣＣＨスロットフォーマットは、通常の（非圧縮）モードのフォーマットよりも少ないパイロットビットを含む。この理由は、強力なトランスポート・フォーマット検出を確実にするために、ＴＦＣＩビット数が、フレーム内で常に同一だからである。それゆえ、同じチャネル品質を保つためには、パイロットのエネルギーを等しく保たなければならず、したがってＤＰＣＣＨの電力は次の係数だけ増分される：
Ｎpilot,N／Ｎpilot,C
【００２７】
したがって、２ｍｓ  ＴＴＩが圧縮フレームと重なり合う場合、次式のようになる。
【００２８】
【数１】
0005363597.tif 000003
【００２９】
式中、βc,C,jは、ＤＰＤＣＨが１つも構成されないときにβc,C,J＝１であるような、ｊ番目のトランスポート・フォーマット・コンビネーション（ＴＦＣ）についての圧縮フレーム中のＤＰＣＣＨのベータ係数であり、Ｎpilot,Cは、圧縮フレーム中のＤＰＣＣＨ上の１スロット当たりのパイロットビット数であり、Ｎpilot,Nは、非圧縮フレーム中の１スロット当たりのパイロットビット数である。
【００３０】
１０ｍｓ  ＴＴＩが圧縮フレームと重なり合う場合、Ｅ−ＤＰＣＣＨ利得係数βecを、より少ないスロットがこのフレーム中での伝送に対して使用可能になることを考慮するために、さらにスケーリングする（増分させる）。良好な伝送品質を得るためには、情報ビット当たりの伝送されるエネルギーが、圧縮モードがフレーム中に使用されるか否かにかかわらず同一である。したがって、下記の式のように、βecを、係数１５／Ｎslots,Cでさらにスケーリングする。
【００３１】
【数２】
0005363597.tif 000004
【００３２】
式中、Ｎslots,Cは、この圧縮フレーム中の非・不連続伝送（非ＤＴＸ：non-discontinuous transmission）スロットの個数である。
【００３３】
図７に示されるように、１つまたは複数のＥ−ＤＰＤＣＨが存在することができ、これらのＥ−ＤＰＤＣＨの各々は、それ自身の利得係数を用いてスケーリングされる。これらの利得係数は、Ｅ−ＤＣＨ  ＴＴＩがそれぞれ１０ｍｓまたは２ｍｓであるかに応じて、無線フレームごとまたはサブフレームごとに変わり得る。ｋ番目のＥ−ＤＰＣＣＨについての利得係数βed,kは、このＴＴＩ中に搬送されるデータのハイブリッド自動再送要求（ＨＡＲＱ：hybrid automatic repeat request）プロファイルに応じて、このＴＴＩ中に搬送されるＥ−ＤＣＨ上のトランスポート・フォーマット・コンビネーション（Ｅ−ＴＦＣ）によって決定される。Ｅ−ＴＦＣは、ＴＴＩ中に搬送されるトランスポート・ブロックのサイズを記述している。このパラメータはしたがって、必要とされる伝送電力に影響を与える。
【００３４】
上位層は、それぞれのデータフロー（ＭＡＣ−ｄフロー）ごとに、個別のＨＡＲＱプロファイルを構成することができる。ＨＡＲＱプロファイルは、このＭＡＣ−ｄフローに対して使用するためのＨＡＲＱ再伝送の電力オフセットおよび最大数を含む。このＨＡＲＱプロファイルは、異なるデータフローの動作ポイントを微調整するために使用することができる。ＷＴＲＵは、（たとえばコールセットアップ時に）上位層によってシグナリングされるパラメータに基づいて利得係数βed,kを決定する。
【００３５】
まず、「基準Ｅ−ＴＦＣ（ｒｅｆｅｒｅｎｃｅ  Ｅ−ＴＦＣ）」を、注目しているＴＴＩ中に搬送されるＥ−ＴＦＣについて、ＷＴＲＵ内で決定する必要がある。最大で８つの基準Ｅ−ＴＦＣを含む基準Ｅ−ＴＦＣのリストが、上位層によってシグナリングされる。この基準Ｅ−ＴＦＣは、注目しているＥ−ＴＦＣにできる限り近くなるように選択される。次いで、基準利得係数βed,refが、選択された基準Ｅ−ＴＦＣについて以下のように決定される：
βed,ref＝βc・Ａed,ref；      式（４）
式中、βcは、ＤＰＣＣＨの利得係数である。比Ａed,refは、選択された基準Ｅ−ＴＦＣに関する上位層によってシグナリングされるパラメータΔＥ−ＤＰＤＣＨから導出される。表２は、ΔＥ−ＤＰＤＣＨに関するシグナリング値の意味を示す。基準Ｅ−ＴＦＣの概念は、あらゆる可能なＥ−ＴＦＣ値についてのΔＥ−ＤＰＤＣＨ値のシグナリングから生じることになるシグナリングオーバーヘッドを回避するために用いられる。
【００３６】
【表２】
0005363597.tif 000005
【００３７】
しかしながら、基準Ｅ−ＴＦＣは、含まれるデータビット数および伝送に必要なＥ−ＤＰＤＣＨの個数の点において実際のＥ−ＴＦＣを反映しないので、この基準利得係数は、Ｅ−ＤＰＤＣＨをスケーリングするのに直接使用することができない。さらに、ＨＡＲＱプロファイルを検討する必要がある。
【００３８】
したがって、検討しているＴＴＩ中に伝送されるべきＥ−ＴＦＣ（ｊ番目のＥ−ＴＦＣ）については、一時変数βed,j,harqが次式のように計算される：
【００３９】
【数３】
0005363597.tif 000006
【００４０】
式中、Ｌe,refは、基準Ｅ−ＴＦＣ用に使用されるＥ−ＤＰＤＣＨの個数であり、Ｌe,jは、ｊ番目のＥ−ＴＦＣ用に使用されるＥ−ＤＰＤＣＨの個数であり、Ｋe,refは、基準Ｅ−ＴＦＣのデータビット数であり、Ｋe,jは、ｊ番目のＥ−ＴＦＣのデータビット数であり、Δharqは、上位層がシグナリングしたとおり伝送されるべき特定のデータフロー（いわゆる「ＭＡＣ−ｄフロー」）用のＨＡＲＱオフセットである（表３を参照）。
【００４１】
【表３】
0005363597.tif 000007
【００４２】
Ｌe,refおよびＬe,jは、物理チャネルの「等しい」個数を表す。通常、これらのＬe,refおよびＬe,jは、以下の２つの場合を除いて、使用されるＥ−ＤＰＤＣＨの個数に等しい。  
１）２×ＳＦ２の場合：Ｌe,refおよびＬe,jは、２ではなく４でなければばらない。  
２）２×ＳＦ２＋２×ＳＦ４の場合：Ｌe,refおよびＬe,Jは、４ではなく６でなければならない。
したがって、計算するβed,j,harqを、ＳＦ＝２つの符号について
【００４３】
【数４】
0005363597.tif 000008
【００４４】
の係数でスケーリングしなければならない。量子化されない利得係数βed,k,j,uqは、拡散率（spreading factor）２を用いるＥ−ＤＰＤＣＨの場合は
【００４５】
【数５】
0005363597.tif 000009
【００４６】
に設定し、その他の場合ではβed,j,harqに等しい。ここで、比βed,k,／βcを取得するための表４に従って、比βed,k,j,uq／βcを量子化する。
【００４７】
【表４】
0005363597.tif 000010
【００４８】
圧縮フレームの間、以下のように、Ｅ−ＤＰＤＣＨ利得係数βed,kをスケーリングする必要がある。Ｅ−ＤＰＤＣＨをスケーリングするのに適用される係数について、上述のＥ−ＤＰＣＣＨのセクションですでに紹介した。
【００４９】
２ｍｓ  ＴＴＩでは、圧縮フレーム中のｊ番目のＥ−ＴＦＣ用に使用される利得係数は、以下のとおり与えられる：
【００５０】
【数６】
0005363597.tif 000011
【００５１】
式中、βc,C,jは、ｊ番目のＴＦＣについての圧縮フレーム中のＤＰＣＣＨのベータ係数（ＤＰＤＣＨが１つも構成されないときβc,C,j＝１）であり、Ｎpilot,Cは、圧縮フレーム中のＤＰＣＣＨ上の１スロット当たりのパイロットビット数であり、Ｎpilot,Nは、非圧縮フレーム中の１スロット当たりのパイロットビット数であり、Ｎslots,Cは、この圧縮フレーム中のＤＴＸスロットの個数である。
【００５２】
１０ｍｓ  ＴＴＩでは、圧縮フレーム内のｊ番目のＥ−ＴＦＣ用に使用される利得係数は、以下のとおり与えられる：
【００５３】
【数７】
0005363597.tif 000012
【００５４】
式中、βc,C,jは、ｊ番目のＴＦＣについての圧縮フレーム中のベータ係数（ＤＰＤＣＨが１つも構成されないとき＝１）であり、Ｎpilot,Cは、圧縮フレーム中のＤＰＣＣＨ上の１スロット当たりのパイロットビット数であり、Ｎpilot,Nは、非圧縮フレーム中の１スロット当たりのパイロットビット数であり、Ｎslots,Iは、データを伝送するのに使用される第１フレーム中の非ＤＴＸスロットの個数である。
【００５５】
１０ｍｓの場合、Ｅ−ＤＰＤＣＨ上での再伝送は、対応する初期伝送が、圧縮フレームと重なり合った（が、再伝送のフレームは重なり合わなかった）とき、やはりスケーリングを必要とすることに留意されたい。Ｅ−ＤＣＨ  ＴＴＩが１０ｍｓであり、現在フレームは圧縮されていないが、対応する第１伝送が圧縮された再伝送であるときに、以下のようにβed,R,jは、ｊ番目のＥ−ＴＦＣに適用されるべき利得係数を表す。
【００５６】
【数８】
0005363597.tif 000013
式中、βed,jは、非圧縮フレーム内のｊ番目のＥ−ＴＦＣ用に使用される利得係数である。
【発明の概要】
【発明が解決しようとする課題】
【００５７】
先行技術は、Ｅ−ＴＦＣ選択の手続が従うべき原理を述べているが、実際のＳＧＰを決定するための特定の方法および装置については述べていない。したがって、先行技術ではＳＧＰの計算が必要であるにもかかわらず、かかる計算を実施するための特定の方法および装置については述べていない。ＳＧＰを計算するための手法には、２つ以上が存在し得るものの、最適な（つまり、「最大」または「最優先順位（highest priority）」の）ＳＧＰを計算する方法および装置が望まれる。
【課題を解決するための手段】
【００５８】
本発明は、Ｅ−ＴＦＣを選択する方法に関する。ＳＧＰは、伝送可能最大ペイロードに設定される。このＳＧＰは、次式のように計算される。
【００５９】
【数９】
0005363597.tif 000014
式中、ＳＧは、サービング許可であり、Ｌe,refは、選択された基準Ｅ−ＴＦＣ用に使用されるＥ−ＤＰＤＣＨの個数であり、Ｋe,refは、基準Ｅ−ＴＦＣのデータビット数であり、Δharqは、上位層がシグナリングしたとおり伝送されるべき特定のデータフロー用のＨＡＲＱオフセットであり、Ａed,refは、選択された基準Ｅ−ＴＦＣに関する上位層によってシグナリングされるパラメータΔＥ−ＤＰＤＣＨから導出される比である。
【００６０】
本発明のより詳細な理解は、例示として与えられ添付図面と併せて理解されるべき好ましい実施形態の以下の説明より得られることであろう。
【図面の簡単な説明】
【００６１】
【図１】第３世代携帯電話システムを示す図である。
【図２】ＷＴＲＵ内のＥＵプロトコルアーキテクチャを示す図である。
【図３】ＭＡＣ−ｅ  ＰＤＵ生成を示す図である。
【図４】伝送可能とされたスケジュール対象および／または非スケジュール対象のデータの最大量を量子化することにより、ＭＡＣ−ｅ  ＰＤＵを生成する処理の流れ図である。
【図５】多重化可能とされる非スケジュール対象のデータの最大量を量子化することにより、ＭＡＣ−ｅ  ＰＤＵを生成する処理のブロック図である。
【図６】多重化されるデータを減少させることによりＭＡＣ−ｅ  ＰＤＵを生成する処理の流れ図である。
【図７】ＨＳＵＰＡに関する従来のアップリンク拡散および利得係数の使用を示す図である。
【図８Ａ】図８Ａから図８Ｄのひとまとまりで、本発明によるデータ伝送用処理の流れ図である。
【図８Ｂ】図８Ａから図８Ｄのひとまとまりで、本発明によるデータ伝送用処理の流れ図である。
【図８Ｃ】図８Ａから図８Ｄのひとまとまりで、本発明によるデータ伝送用処理の流れ図である。
【図８Ｄ】図８Ａから図８Ｄのひとまとまりで、本発明によるデータ伝送用処理の流れ図である。
【図９】本発明による、データを有さないスケジューリング情報用の処理の流れ図である。
【発明を実施するための形態】
【００６２】
これ以降において、用語「ＷＴＲＵ」は、ユーザ機器、移動局、固定もしくは移動加入者ユニット、ページャ、または無線環境内で動作可能な他の任意のタイプのデバイスを含むが、これらに限られない。用語「基地局」は、これ以降で言及されるときは、ノードＢ、サイトコントローラ、アクセスポイント、または無線環境内の他の任意のタイプのインターフェーシングデバイスを含むが、これらに限られない。
【００６３】
本発明は、特定のＳＧ用のペイロードを決定するための方法および装置を提供する。さらに本発明は、高優先度データ伝送を最大化するために、あらゆるサイズをチェックすることによりプロトコル・データ・ユニット（ＰＤＵ）サイズを選択する。
【００６４】
最大ＰＤＵは、可能にされたＥ−ＴＦＣのセットにおける、最大のサポートされたトランスポート・ブロック（ＴＢ）サイズ（またはＥＵメディアアクセス制御（ＭＡＣ−ｅ）ＰＤＵサイズ）である。
【００６５】
残存する使用可能なペイロードは、最大ＰＤＵ内に適合するデータの残量である。
【００６６】
ＳＧＰサイズは、ＳＧおよび選択された電力オフセット（ＰＯ）に従って伝送可能な最大ペイロードである。
【００６７】
残存する非スケジュール対象のペイロードは、（ＭＡＣ−ｄフロー単位での）残存する非スケジュール対象の許可値である。
【００６８】
非スケジュール対象のペイロードは、すべての非スケジュール対象の個別ＭＡＣ（ＭＡＣ−ｄ）フローについての、ＭＩＮ（「残存する非スケジュール対象のペイロード」、非スケジュール対象の使用可能なペイロード）、（つまり、残存する非スケジュール対象のペイロードおよび非スケジュール対象の使用可能なペイロードのうちで最小の一方）の合計である。
【００６９】
スケジュール対象のペイロードは、最優先順位で選択されたＭＡＣ−ｄフローを用いて多重化可能にされるすべてのスケジュール対象のＭＡＣ−ｄフローの無線リンク制御（ＲＬＣ）バッファ内のデータ量である。
【００７０】
（周波数分割複信（ＦＤＤ）における）電力オフセット属性は、ＷＴＲＵにシグナリングされる。この電力オフセット属性は、１つまたは複数のＥ−ＤＰＤＣＨと所与のＥ−ＴＦＣに関する基準Ｅ−ＤＰＤＣＨ電力レベルとの間の電力オフセットを表す。この電力オフセット属性は、ＭＡＣ−ｅ  ＰＤＵ内に単独で搬送され、続いてＥＵ個別チャネル（Ｅ−ＤＣＨ）タイプの対応する符号化複合トランスポート・チャネル（ＣＣＴｒＣｈ：coded composite transport channel）内で搬送されるとき、このＭＡＣ−ｄフローにおいて必要なサービス品質（ＱｏＳ）を達成するように設定される。電力オフセットは、送信機に送る前に広帯域符号分割多元接続（Ｗ−ＣＤＭＡ）ＦＤＤにおけるＤＰＤＣＨおよびＤＰＣＣＨなどのＵＬ符号チャネルの相対電力レベルを調整するために、ベースバンド（ＢＢ）内で使用されるベータ係数に変換されなければならない。基準Ｅ−ＤＰＤＣＨ電力オフセットは、少なくとも１つの基準Ｅ−ＴＦＣに関してＷＴＲＵにシグナリングされる。ＳＧは、後続の伝送においてスケジュール対象のデータ用にＷＴＲＵが用いることを可能とされる、最大のＥ−ＤＰＤＣＨ対ＤＰＣＣＨ電力比の指標にすぎない。ＳＧは、次に生じる伝送にとって「最善の」フォーマットの選択をサポートするためのＥ−ＴＦＣ選択機能に供給される。
【００７１】
本発明の主な目的は、ＳＧ値への適合という制約全体に従いつつも、（どのデータが使用可能であるかに応じて）所与のＥ−ＴＦＣについてすべての可能な電力設定の組合せを選択し、データが「最も多く」送られる結果になる１つの組合せを見つけ出すことである。
【００７２】
ひとまとまりの図８Ａ〜８Ｄは、本発明によるデータ伝送用手続き８００の流れ図である。ステップ８０２では、最優先順位のデータの伝送を可能にするＰＯを有するＭＡＣ−ｄフローを選択する。１つを超えるＭＡＣ−ｄフローにより、同じ最優先順位のデータが伝送可能になるとき、ＭＡＣ−ｄフローの選択は無作為に行われ得る。ステップ８０４では、選択されたＭＡＣ−ｄフローに基づいて、多重化可能な１つ（または複数）のＭＡＣ−ｄフローを識別し、多重化可能でない１つ（または複数）のＭＡＣ−ｄフローを無視する。ステップ８０６では、選択されたＰＯに基づいて、Ｅ−ＴＦＣ制限を行い、次の伝送タイミング間隔（ＴＴＩ）中に送ることができる、最大のサポートされるペイロード（すなわち、最大のＭＡＣ−ｅ  ＰＤＵサイズ）を決定する。ステップ８０８では、「残存する使用可能なペイロード（Ｒｅｍａｉｎｉｎｇ  Ａｖａｉｌａｂｌｅ  Ｐａｙｌｏａｄ）」を、最大のサポートされるペイロードに設定する。ステップ８１０では、次に生じる伝送が、１０ｍｓ  ＴＴＩ上の圧縮モード（ＣＭ：compressed mode）ギャップと重なり合う場合、現在のＳＧをスケールダウンする。
【００７３】
ＣＭは、通常の非圧縮フレームと比べると、フレームの諸部分が、より高い電力で送られる点で特殊である。したがって、ＳＧは、数値補正として働くことにより、ＣＭの存在を考慮するために「スケーリング（ｓｃａｌｅｄ）」されなければならない。圧縮フレーム中のＳＧに対して仮定されるＤＰＣＣＨ電力は、圧縮フレーム中の実際のＤＰＣＣＨ電力から「パイロット電力」を減算したものになる。
【００７４】
ステップ８１２では、以下のように、ＳＧおよび選択されたＰＯに従って、スケジュール対象許可ペイロード（ＳＧＰ）を伝送可能最大ペイロードに設定する。
【００７５】
【数１０】
0005363597.tif 000015
【００７６】
式中、ＴＢｓｉｚｅは、最大のサポートされるペイロード（トランスポート・ブロック・サイズ）であり、ｊは、最大のサポートされるペイロードをサポートする、検討されるＴＦＣである。ＳＧ＝ＭＩＮ（ＳＧＰ，ＴＢｓｉｚｅ）である。βcは、ＤＰＣＣＨの利得係数である。上に開示したように、次式のとおりである。  
βed,ref＝βc・Ａed,ref；  式（４）
【００７７】
【数１１】
0005363597.tif 000016
【００７８】
したがって、式（４）のβc・Ａed,refを、式（５）においてβed,refに代入すると：
【００７９】
【数１２】
0005363597.tif 000017
【００８０】
ここで、
【００８１】
【数１３】
0005363597.tif 000018
【００８２】
である。本発明によれば、
【００８３】
【数１４】
0005363597.tif 000019
【００８４】
である。
【００８５】
発明の好ましい一実施形態によれば、係数
【００８６】
【数１５】
0005363597.tif 000020
【００８７】
は、常に、本発明で上述した反復手続きの一部として、結果的に１に可能な限り最も近い量子化された値となり、したがって
【００８８】
【数１６】
0005363597.tif 000021
【００８９】
である。
【００９０】
これは、Ｌe,jが、前述のようにｊ番目のＥ−ＴＦＣ用に使用されるＥ−ＤＰＤＣＨの個数であることを考慮すれば、容易に分かる。
【００９１】
たとえば、この特殊なケースに限定されるものでないが、ＳＦが４以上であるただ１つのＥ−ＤＰＤＣＨが可能であるＨＳＵＰＡ  ＷＴＲＵカテゴリ１の場合、Ｌe,j＝１である。Ｋe,jが、検討中のｊ番目のＥ−ＴＦＣのデータビット数であるので、上述のようにスループットを最大化させる係数は、係数ＴＢＳｉｚｅ／Ｋe,jが、構成されたＥ−ＴＦＣＳの関数として、１に可能な限り最も近い量子化された値のときである。
【００９２】
Ｌe,jが１に等しくない他の場合には、前述のように、Ｅ−ＤＰＤＣＨ、および場合によりこのＥ−ＤＰＤＣＨの各々のＳＦの個数の関数として、式（１５）および（１６）中のＳＧＰは、（特定の基準Ｅ−ＴＦＣが最低の基準Ｅ−ＴＦＣである場合を除外して、）より高い基準Ｅ−ＴＦＣに対応しかつ計算で使用されるこの特定の基準Ｅ−ＴＦＣよりも低くないトランスポート・ブロック・サイズ（つまりＴＢＳｉｚｅ）を超過しない値を生成する。
【００９３】
図８をなおも参照すると、ステップ８１４では、非スケジュール対象許可を有するＭＡＣ−ｄフローの各々について、「残存する非スケジュール対象のペイロード（Ｒｅｍａｉｎｉｎｇ  Ｎｏｎ−ｓｃｈｅｄｕｌｅｄ  Ｐａｙｌｏａｄ）」を、許可の値に設定する。ステップ８１６では、「非スケジュール対象のペイロード（Ｎｏｎ−ｓｃｈｅｄｕｌｅｄ  Ｐａｙｌｏａｄ）」を、すべての非スケジュール対象の１つ（または複数）のＭＡＣ−ｄフローについて、ＭＩＮ（「残存する非スケジュール対象のペイロード」、非スケジュール対象の使用可能なペイロード）の合計に設定する。
【００９４】
ステップ８１８においてスケジューリング情報が伝送される必要があると判定され、ステップ８２０において「残存する使用可能なペイロード」が、「スケジュール対象許可ペイロード（Ｓｃｈｅｄｕｌｅｄ  Ｇｒａｎｔ  Ｐａｙｌｏａｄ）」、「非スケジュール対象のペイロード」およびスケジューリング情報のサイズの合計よりも大きい（すなわち、ＴＢサイズは、ＷＴＲＵが場合により送達することが可能なデータのすべてを搬送することができる）と判定された場合は、「スケジュール対象許可ペイロード」＋「非スケジュール対象のペイロード」＋スケジューリング情報のサイズの合計を、次により小さいサポートされるＥ−ＴＦＣに量子化する（ステップ８２２）。ステップ８２４では、「スケジュール対象許可ペイロード」を、この量子化された合計から「非スケジュール対象のペイロード」およびスケジューリング情報のサイズを減算したものに設定する。ステップ８２６では、「残存する使用可能なペイロード」を、次により小さいサポートされるＥ−ＴＦＣ内でのサポートされるペイロードに設定する。ステップ８２８では、「残存する使用可能なペイロード」からスケジューリング情報のサイズを減算する。
【００９５】
ステップ８１８においてスケジューリング情報が伝送される必要がないと判定され、ステップ８３０において「残存する使用可能なペイロード」が、「スケジュール対象許可ペイロード」と「非スケジュール対象のペイロード」の合計よりも大きい（すなわち、ＴＢサイズは、ＷＴＲＵが場合により送達することが可能なデータのすべてを搬送することができる）と判定された場合は、「スケジュール対象許可ペイロード」と「非スケジュール対象のペイロード」の合計を、次により小さいサポートされたＥ−ＴＦＣに量子化し（ステップ８３２）、「スケジュール対象許可ペイロード」を、量子化された合計から「非スケジュール対象のペイロード」を減算したものに設定し（ステップ８３４）、「残存する使用可能なペイロード」を、次により小さい送信許可されたＥ−ＴＦＣ内でのサポートされるペイロードに設定する（ステップ８３６）。
【００９６】
なおも図８を参照すると、複数の論理チャネルのうちの１つを優先順位に基づいて選択し（ステップ８３８）、次いでステップ８４０〜８５０が、この選択された論理チャネルに対して実行され、その後、ステップ８５２において選択を行うべき論理チャネルが少なくともさらに１つ存在していると判定された場合、ステップ８３８にループバックする。ステップ８４０では、選択された論理チャネルが、非スケジュール対象許可を有するＭＡＣ−ｄフローに属するか否かについて判定を行う。
【００９７】
ステップ８４０の判定が真である場合は、この論理チャネルがマッピングされているＭＡＣ−ｄフローに対応する「残存する非スケジュール対象のペイロード」を検討し（ステップ８４２）、ＭＩＮ（「残存する非スケジュール対象のペイロード」、この論理チャネルに対して使用可能なデータ、「残存する使用可能なペイロード」）よりも少ない、最大のデータ量を供与するＰＤＵサイズを選ぶことにより、ＭＡＣ−ｅ  ＰＤＵを埋めるための、この選択された論理チャネル内で可能にされたセットからＲＬＣ  ＰＤＵサイズを選択する（ステップ８４４）。どのＰＤＵサイズが最大量のデータを供与するかをチェックするためには、可能となるあらゆるサイズをチェックすることが必要である。ステップ８４６では、（ＭＡＣ−ｅヘッダを考慮しながら、）「残存する使用可能なペイロード」および「残存する非スケジュール対象のペイロード」から、対応するビットがあればそれがあればそれを減算する。
【００９８】
ステップ８４０の判定が偽である場合は、ＭＩＮ（「スケジュール対象許可ペイロード」、この論理チャネルに対して使用可能なデータ、「残存する使用可能なペイロード」）よりも少ない、最大のデータ量を供与するＰＤＵサイズを選ぶことによって、ＭＡＣ−ｅ  ＰＤＵを埋めるための、この選択された論理チャネル内で可能にされたセットからＲＬＣ  ＰＤＵサイズを選択する（ステップ８４８）。どのＰＤＵサイズが最大量のデータを供与するかをチェックするためには、可能となるあらゆるサイズをチェックすることが必要である。ステップ８５０では、（ＭＡＣ−ヘッダを考慮しながら、）「残存する使用可能なペイロード」および「スケジュール対象許可ペイロード」から、対応するビットがあればそれを減算する。
【００９９】
ステップ８５２において、選択を行うべき論理チャネルがもはや存在しないと判定された場合、およびステップ８５４においてスケジューリング情報が伝送される必要があると判定された場合は、スケジューリング情報をＭＡＣ−ｅ  ＰＤＵに追加し（ステップ８５６）、得られたＭＡＣ−ｅ  ＰＤＵを搬送可能である最小のＥ−ＴＦＣを決定する（ステップ８５８）。
【０１００】
ステップ８５４では、スケジューリング情報が伝送される必要がないと判定された場合、得られたＭＡＣ−ｅ  ＰＤＵを搬送可能である最小のＥ−ＴＦＣを決定し（ステップ８６０）、パディングによりスケジューリング情報を送ることが可能になる場合、ＭＡＣ−ｅ  ＰＤＵにパディングを追加する（ステップ８６２）。最後に、ステップ８６４では、ハイブリッド自動再送要求（ＨＡＲＱ）伝送の最大数を、伝送用に選択されたＭＡＣ−ｄフローのＨＡＲＱプロファイルのＨＡＲＱ伝送の最大数のうちの最大値に設定する。
【０１０１】
図９は、本発明による、データレスのスケジューリング情報の伝送手続き９００の流れ図である。ステップ９０５においてスケジューリング情報が、データを有さずに伝送されるべきであると判定された場合、「制御のみ（ｃｏｎｔｒｏｌ−ｏｎｌｙ）」のＨＡＲＱプロファイルを選択し（ステップ９１０）、ＭＡＣ−ｅ  ＰＤＵにスケジューリング情報を埋め（ステップ９１５）、最小のＥ−ＴＦＣを選択する（ステップ９２０）。スケジューリング情報が単独で（データなしで）送られるときは、使用されるべきＰＯが、「Ｅ−ＤＰＤＣＨ情報」中の情報要素（ＩＥ：information element）「スケジューリング情報用の電力オフセット」内のＲＲＣによって構成されるＰＯになる。これは、拡張ＵＬに関連してＲＲＣ層シグナリングされる構成情報の一部であり、この情報により、ＲＮＣが、ｅ−ＭＡＣを設定および実行するためのパラメータをＷＴＲＵにシグナリングする。
【０１０２】
実施形態
１．  スケジューリング許可ペイロード（ＳＧＰ）を伝送可能最大ペイロードに設定するステップを含む、拡張アップリンク（ＥＵ）トランスポート・フォーマット・コンビネーション（Ｅ−ＴＦＣ）を選択するための方法。
２．  ＳＧＰが、
【０１０３】
【数１７】
0005363597.tif 000022
【０１０４】
（式中、ＳＧは、サービング許可であり、ＴＢｓｉｚｅは、最大のサポートされるペイロードを提供するトランスポート・ブロック・サイズであり、βcは、個別物理制御チャネル（ＤＰＣＣＨ）の利得係数である）、および、
【０１０５】
【数１８】
0005363597.tif 000023
【０１０６】
（式中、Ｌe,refは、選択された基準Ｅ−ＴＦＣ用に使用されるＥＵ個別物理データチャネル（Ｅ−ＤＰＤＣＨ）の個数であり、Ｌe,jは、ｊ番目のＥ−ＴＦＣ用に使用されるＥ−ＤＰＤＣＨの個数であり、Ｋe,refは、基準Ｅ−ＴＦＣのデータビット数であり、Ｋe,jは、ｊ番目のＥ−ＴＦＣのデータビット数であり、Δharqは、上位層がシグナリングしたとおり伝送されるべき特定のデータフロー用のハイブリッド自動再送要求（ＨＡＲＱ）オフセットである）のように計算される実施形態１で述べられた方法。
３．  βed,ref＝βc・Ａed,ref（式中、Ａed,refは、選択された基準Ｅ−ＴＦＣに関する上位層によってシグナリングされるパラメータΔＥ−ＤＰＤＣＨから導出される比である）である実施形態２で述べられた方法。
４．
【０１０７】
【数１９】
0005363597.tif 000024
【０１０８】
である実施形態３で述べられた方法。
５．
【０１０９】
【数２０】
0005363597.tif 000025
【０１１０】
である実施形態４で述べられた方法。
６．  ＳＧＰ＝ＭＩＮ（ＳＧＰ，ＴＢｓｉｚｅ）である実施形態４および５のいずれか一方で述べられた方法。
７．  最優先順位のデータの伝送を可能にする電力オフセット（ＰＯ）を有する個別チャネルメディアアクセス制御（ＭＡＣ−ｄ）フローを選択するステップ
をさらに含む実施形態１〜６のいずれか１つで述べられた方法。
８．  １つを超えるＭＡＣ−ｄフローにより、同じ最優先順位のデータが伝送可能になるとき、ＭＡＣ−ｄフローの選択が無作為に行われる実施形態７で述べられた方法。
９．  選択されたＭＡＣ−ｄフローに基づいて、多重化可能な１つ（または複数）のＭＡＣ−ｄフローを識別するステップと、
多重化可能でない１つ（または複数）のＭＡＣ−ｄフローを無視するステップと
をさらに含む実施形態７で述べられた方法。
１０．  Ｅ−ＴＦＣ制限を行うステップと、
次の伝送タイミング間隔（ＴＴＩ）中に送ることができる、最大のサポートされるペイロードを決定するステップと
をさらに含む実施形態９で述べられた方法。
１１．  ペイロードが、最大ＥＵメディアアクセス制御（ＭＡＣ）サイズに設定される実施形態１０で述べられた方法。
１２．  実施形態１〜１１のいずれか１つで述べられた方法を実施するための無線送受信ユニット（ＷＴＲＵ）。
１３．  拡張アップリンク（ＥＵ）トランスポート・フォーマット・コンビネーション（Ｅ−ＴＦＣ）を選択する方法であって、
スケジューリング許可ペイロード（ＳＧＰ）を伝送可能最大ペイロードに設定するステップを含み、ＳＧＰは、
【０１１１】
【数２１】
0005363597.tif 000026
【０１１２】
（式中、ＳＧは、サービング許可であり、Ｌe,refは、選択された基準Ｅ−ＴＦＣ用に使用されるＥＵ個別物理データチャネル（Ｅ−ＤＰＤＣＨ）の個数であり、Ｋe,refは、基準Ｅ−ＴＦＣのデータビット数であり、Δharqは、上位層がシグナリングしたとおり伝送されるべき特定のデータフロー用のハイブリッド自動再送要求（ＨＡＲＱ）オフセットであり、Ａed,refは、選択された基準Ｅ−ＴＦＣに関する上位層によってシグナリングされるパラメータΔＥ−ＤＰＤＣＨから導出される比である）のように計算される方法。
１４．  ＳＧＰ＝ＭＩＮ（ＳＧＰ，ＴＢｓｉｚｅ）（式中、ＴＢｓｉｚｅは、最大のサポートされるペイロードを提供するトランスポート・ブロック・サイズである）である実施形態１３で述べられた方法。
１５．  最優先順位のデータの伝送を可能にする電力オフセット（ＰＯ）を有する個別チャネルメディアアクセス制御（ＭＡＣ−ｄ）フローを選択するステップ
をさらに含む実施形態１２および１３のいずれか一方で述べられた方法。
１６．  １つを超えるＭＡＣ−ｄフローにより、同じ最優先順位のデータが伝送可能になるとき、ＭＡＣ−ｄフローの選択が無作為に行われる実施形態１５で述べられた方法。
１７．  選択されたＭＡＣ−ｄフローに基づいて、多重化可能な１つ（または複数）のＭＡＣ−ｄフローを識別するステップと、
多重化可能でない１つ（または複数）のＭＡＣ−ｄフローを無視するステップと
をさらに含む実施形態１５で述べられた方法。
１８．  Ｅ−ＴＦＣ制限を行うステップと、
次の伝送タイミング間隔（ＴＴＩ）中に送ることができる、最大のサポートされるペイロードを決定するステップと
をさらに含む実施形態１７で述べられた方法。
１９．  ペイロードが、最大ＥＵメディアアクセス制御（ＭＡＣ）サイズに設定される実施形態１８で述べられた方法。
２０．  実施形態１３〜１９のいずれか１つで述べられた方法を実施するための無線送受信ユニット（ＷＴＲＵ）。
２１．  拡張アップリンク（ＥＵ）トランスポート・フォーマット・コンビネーション（Ｅ−ＴＦＣ）を選択する方法であって、
スケジューリング許可ペイロード（ＳＧＰ）を伝送可能最大ペイロードに設定するステップと、
最優先順位のデータの伝送を可能にする電力オフセット（ＰＯ）を有する個別チャネルメディアアクセス制御（ＭＡＣ−ｄ）フローを選択するステップと
を含む方法。
２２．  １つを超えるＭＡＣ−ｄフローにより、同じ最優先順位のデータが伝送可能になるとき、ＭＡＣ−ｄフローの選択が無作為に行われる実施形態２１で述べられた方法。
２３．  選択されたＭＡＣ−ｄフローに基づいて、多重化可能な１つ（または複数）のＭＡＣ−ｄフローを識別するステップと、
多重化可能でない１つ（または複数）のＭＡＣ−ｄフローを無視するステップと
をさらに含む実施形態２１で述べられた方法。
２４．  Ｅ−ＴＦＣ制限を行うステップと、
次の伝送タイミング間隔（ＴＴＩ）中に送ることができる、最大のサポートされるペイロードを決定するステップと
をさらに含む実施形態２３で述べられた方法。
２５．  ペイロードが、最大ＥＵメディアアクセス制御（ＭＡＣ）サイズに設定される実施形態２４で述べられた方法。
２６．  ＳＧＰが、
【０１１３】
【数２２】
0005363597.tif 000027
【０１１４】
（式中、ＳＧは、サービング許可であり、Ｌe,refは、選択された基準Ｅ−ＴＦＣ用に使用されるＥＵ個別物理データチャネル（Ｅ−ＤＰＤＣＨ）の個数であり、Ｋe,refは、基準Ｅ−ＴＦＣのデータビット数であり、Δharqは、上位層がシグナリングしたとおり伝送されるべき特定のデータフロー用のハイブリッド自動再送要求（ＨＡＲＱ）オフセットであり、Ａed,refは、選択された基準Ｅ−ＴＦＣに関する上位層によってシグナリングされるパラメータΔＥ−ＤＰＤＣＨから導出される比である）のように計算される実施形態２１〜２５のいずれか１つで述べられた方法。
２７．  ＳＧＰ＝ＭＩＮ（ＳＧＰ，ＴＢｓｉｚｅ）（式中、ＴＢｓｉｚｅは、最大のサポートされるペイロードを提供するトランスポート・ブロック・サイズである）である実施形態２１で述べられた方法。
２８．  実施形態２１〜２７のいずれか１つで述べられた方法を実施するための無線送受信ユニット（ＷＴＲＵ）。
【０１１５】
本発明の特徴および要素を、好ましい実施形態において特定の組合せで説明したが、それぞれの特徴または要素は、好ましい実施形態の他の特徴および要素を用いずに単独で使用でき、あるいは本発明の他の特徴および要素を用いてまたは用いないで種々の組合せにおいて使用することもできる。本発明で提供された方法または流れ図は、汎用コンピュータまたはプロセッサが実行するためのコンピュータ可読記憶媒体内で有形に実施されるコンピュータプログラム、ソフトウェアまたはファームウェア内で実現することができる。コンピュータ可読記憶媒体の例には、読取り専用メモリ（ＲＯＭ）、ランダムアクセスメモリ（ＲＡＭ）、レジスタ、キャッシュメモリ、半導体メモリデバイス、内蔵ハードディスクおよび取外し可能ディスクなどの磁気媒体、光磁気媒体、ならびにＣＤ−ＲＯＭディスクおよびデジタル多用途ディスク（ＤＶＤ）などの光媒体が挙げられる。
【０１１６】
適切なプロセッサには、例として、汎用プロセッサ、専用プロセッサ、通常のプロセッサ、デジタル信号プロセッサ（ＤＳＰ）、複数のマイクロプロセッサ、ＤＳＰコアに関連付けられた１つもしくは複数のマイクロプロセッサ、コントローラ、マイクロコントローラ、特定用途向け集積回路（ＡＳＩＣ）、フィールドプログラマブルゲートアレイ（ＦＰＧＡ）回路、他の任意のタイプの集積回路（ＩＣ）、および／またはステートマシンが挙げられる。
【０１１７】
ソフトウェアに関連付けられたプロセッサを、無線送受信ユニット（ＷＴＲＵ）、ユーザ機器（ＵＥ）、端末、基地局、無線ネットワーク制御装置（ＲＮＣ）または任意のホストコンピュータ内で用いるための無線周波数トランシーバを実装するために用いることができる。ＷＴＲＵは、ハードウェアおよび／またはソフトウェア内に、たとえばカメラ、ビデオカメラモジュール、テレビ電話、スピーカーホン、振動デバイス、スピーカ、マイクロホン、テレビジョン送受信機、ハンドフリーヘッドホン、キーボード、Ｂｌｕｅｔｏｏｔｈ（登録商標）モジュール、周波数変調（ＦＭ）無線ユニット、液晶ディスプレイ（ＬＣＤ）表示ユニット、有機発光ダイオード（ＯＬＥＤ）表示ユニット、デジタル音楽プレーヤー、メディアプレーヤー、テレビゲームプレーヤーモジュール、インターネットブラウザ、および／または任意の無線ローカルエリアネットワーク（ＷＬＡＮ）モジュール内に実装されるモジュールと併用することができる。
【図１】
0005363597.tif 000030
【図２】
0005363597.tif 000031
【図３】
0005363597.tif 000032
【図４】
0005363597.tif 000033
【図５】
0005363597.tif 000034
【図６】
0005363597.tif 000035
【図７】
0005363597.tif 000036
【図８Ａ】
0005363597.tif 000037
【図８Ｂ】
0005363597.tif 000038
【図８Ｃ】
0005363597.tif 000039
【図８Ｄ】
0005363597.tif 000040
【図９】
0005363597.tif 000041